(57)【要約】【課題】待機時の消費電力を低下させることを目的とした空気清浄機を提供する。【解決手段】空気を吸い込む吸気口と、吸い込んだ空気を清浄する清浄手段と、清浄手段に通風する送風手段と、空気を吹き出す排気口と、ヒーター部に電圧を印加し、検知部を高温に保ち空気中の汚れ成分を検知するにおいセンサを備えた空気清浄機において、待機時にヒーター部の印加電圧をパルスにすることで消費電力を低下させたことを特徴とする空気清浄機。【選択図】図３
2011127821.tif 000002
【特許請求の範囲】
【請求項１】
空気を吸い込む吸気口と、吸い込んだ空気を清浄する清浄手段と、清浄手段に通風する送風手段と、空気を吹き出す排気口と、ヒーター部に電圧を印加し、検知部を高温に保ち空気中の汚れ成分を検知するにおいセンサを備えた空気清浄機において、待機時にヒーター部の印加電圧をパルスにすることで消費電力を低下させたことを特徴とする空気清浄機。
【請求項２】
待機時にヒーター部にパルス電圧を印加し、ヒーター部の温度を所定の温度に保つことで、運転開始時に検知部の温度が安定するまでの時間を短縮することを特徴とする請求項１に記載の空気清浄機。
【請求項３】
パルス印加電圧のピーク値を時間により変化させたことを特徴とする請求項１または請求項２に記載の空気清浄機。
【請求項４】
パルス印加電圧のデューティー比を変化させることを特徴とした請求項１または請求項２に記載の空気清浄機。
【請求項５】
使用者が選択可能なにおいモードスイッチを設け、においモード中はパルス印加電圧のデューティー比を変化させ、ヒーター部の温度を高くすることを特徴とする請求項１に記載の空気清浄機。
【請求項６】
使用者が選択可能な省エネモードスイッチを設け、省エネ中はパルス印加電圧のデューティー比を変化させ、ヒーター部の温度を低くすることを特徴とする請求項１に記載の空気清浄機。
【請求項７】
使用者が選択可能な自動モードスイッチを備え、自動モード中は待機時のヒーター部の印加電圧を汚れの検知結果によって変化させることを特徴とする請求項１に記載の空気清浄機。
【請求項８】
待機直前に汚れを検知していなければ待機時のパルス印加電圧のデューティー比を変化させ、ヒーター部の温度を低くすることを特徴とする請求項７に記載の空気清浄機。
【請求項９】
待機直前に汚れを検知していれば待機時のパルス印加電圧のデューティー比を変化させ、ヒーター部の温度を高くすることを特徴とする請求項７に記載の空気清浄機。
【請求項１０】
待機時のパルス印加電圧のデューティー比を変化させ、ヒーター部の温度を高温と低温と繰り返すことを特徴とした請求項７に記載の空気清浄機。
【請求項１１】
待機時間の長さがある一定以上になると、待機時のパルス印加電圧のデューティー比を変化させ、ヒーター部の温度を徐々に低くすることを特徴とする請求項７に記載の空気清浄機。
【発明の詳細な説明】
【技術分野】
【０００１】
本発明は、室内空間に浮遊する埃や煙草などの汚染物質を含んだ汚染空気を吸い込んで清浄し、清浄後の空気を加湿機能により加湿し、室内に吹きだす機能を備えた空気清浄機に関するものである。
【背景技術】
【０００２】
従来、この種の加湿機能付き空気清浄機は下記に記載されたものが知られている。
【０００３】
以下、その空気清浄機について図を参照しながら説明する。
【０００４】
図８に示すように空気清浄機本体１０１には空気を吸い込む吸気口１０２と、空気を清浄するフィルター１０３と、フィルター１０３に通風するファン１０４と、清浄した空気を吹き出す排気口１０５と、大気中の汚れを検知するにおいセンサ１０６を備え、待機中でもにおいセンサ１０６は通電している  （例えば、特許文献１参照）。
【先行技術文献】
【特許文献】
【０００５】
【特許文献１】特開２００７−１３６２８４号公報
【発明の概要】
【発明が解決しようとする課題】
【０００６】
このような従来の空気清浄機では、センサが安定するまで時間がかかるため、待機中でもにおいセンサに通電する必要があった。そのため、使用していない時も電力を消費しており、消費電力を削減する事が要求されている。
【０００７】
そこで本発明は、このような従来の課題を解決するものであり、待機中はセンサの印加電圧をパルス電圧にすることで、消費電力を削減し、また、センサの安定までの時間を短縮することを特徴としている。
【課題を解決するための手段】
【０００８】
そして、この目的を達成するために、本発明の空気清浄機は、空気を吸い込む吸気口と、込んだ空気を清浄する清浄手段と、清浄手段に通風する送風手段と、空気を吹き出す排気口と、ヒーター部に電圧を印加し、検知部を高温に保ち空気中の汚れ成分を検知するにおいセンサを備えた空気清浄機において、待機時にヒーター部の印加電圧をパルスにするものであり、これにより所期の目的を達成するものである。
【０００９】
この手段により、消費電力を削減できる加湿機能付き空気清浄機が得られる。
【００１０】
また、本発明の空気清浄機は、待機時にヒーター部にパルス電圧を印加し、ヒーター部の温度を所定の温度に保つものである。
【００１１】
この手段により、センサの安定までの時間を短縮できる加湿機能付き空気清浄機が得られる。
【００１２】
また、本発明の空気清浄機は、パルス印加電圧のピーク値を時間により変化させたものである。
【００１３】
この手段により、消費電力を削減し、また、センサの安定までの時間を短縮できる加湿機能付き空気清浄機が得られる。
【００１４】
また、本発明の空気清浄機は、パルス印加電圧のデューティー比を変化させるものであり、これにより所期の目的を達成するものである。
【００１５】
この手段により、消費電力を削減し、また、センサの安定までの時間を短縮できる加湿機能付き空気清浄機が得られる。
【００１６】
また、本発明の空気清浄機は、使用者が選択可能なにおいモードスイッチを設け、においモード中はパルス印加電圧のデューティー比を変化させ、ヒーター部の温度を高くするものである。
【００１７】
この手段により、センサの安定までの時間を短縮できる加湿機能付き空気清浄機が得られる。
【００１８】
また、本発明の空気清浄機は、使用者が選択可能な省エネモードスイッチを設け、省エネ中はパルス印加電圧のデューティー比を変化させ、ヒーター部の温度を低くするものである。
【００１９】
この手段により、センサの安定までの時間を短縮できる加湿機能付き空気清浄機が得られる。
【００２０】
また、本発明の空気清浄機は、使用者が選択可能な自動モードスイッチを備え、自動モード中は待機時のヒーター部の印加電圧を汚れの検知結果によって変化させるものである。
【００２１】
この手段により、消費電力を削減できる加湿機能付き空気清浄機が得られる。
【００２２】
また、本発明の空気清浄機は、待機直前に汚れを検知していなければ待機時のパルス印加電圧のデューティー比を変化させ、ヒーター部の温度を低くするものである。
【００２３】
この手段により、消費電力を削減できる加湿機能付き空気清浄機が得られる。
【００２４】
また、本発明の空気清浄機は、待機直前に汚れを検知していれば待機時のパルス印加電圧のデューティー比を変化させ、ヒーター部の温度を高くするものである。
【００２５】
この手段により、消費電力を削減し、また、センサの安定までの時間を短縮できる加湿機能付き空気清浄機が得られる。
【００２６】
また、本発明の空気清浄機は、待機時のパルス印加電圧のデューティー比を変化させ、ヒーター部の温度を高温と低温と繰り返すものである。
【００２７】
この手段により、消費電力を削減できる加湿機能付き空気清浄機が得られる。
【００２８】
また、本発明の空気清浄機は、待機時間の長さがある一定以上になると、待機時のパルス印加電圧のデューティー比を変化させ、ヒーター部の温度を徐々に低くするものである。
【００２９】
この手段により、消費電力を削減できる加湿機能付き空気清浄機が得られる。
【発明の効果】
【００３０】
本発明によれば、待機時にヒーター部の印加電圧をパルスにすることで消費電力を削減できる空気清浄機を提供できる。
【図面の簡単な説明】
【００３１】
【図１】本発明の実施の形態１の空気清浄機の構成を示す斜影図
【図２】本発明の実施の形態１のにおいセンサ構造図
【図３】本発明の実施の形態１のパルス電圧波形図
【図４】本発明の実施の形態１のパルス電圧波形とヒーター部温度の関係を示す図
【図５】本発明の実施の形態１のパルス電圧ピーク値波形図
【図６】本発明の実施の形態１のパルス電圧デューティー波形図
【図７】本発明の実施の形態４の自動モードフローチャート
【図８】従来の空気清浄機の構成を示す斜影図
【発明を実施するための形態】
【００３２】
本発明の請求項１記載の空気清浄機は、空気を吸い込む吸気口と、込んだ空気を清浄する清浄手段と、清浄手段に通風する送風手段と、空気を吹き出す排気口と、ヒーター部に電圧を印加し、検知部を高温に保ち空気中の汚れ成分を検知するにおいセンサを備えた空気清浄機において、待機時にヒーター部の印加電圧をパルスにすることで、消費電力を削減できるという作用を有する。
【００３３】
また、請求項２記載の空気清浄機は、待機時にヒーター部にパルス電圧を印加し、ヒーター部の温度を所定の温度に保つことで、センサの安定までの時間を短縮できるという作用を有する。
【００３４】
また、請求項３記載の空気清浄機は、また、本発明の加湿機能付き空気清浄機は、パルス印加電圧のピーク値を時間により変化さることで、消費電力を削減し、また、センサの安定までの時間を短縮できるという作用を有する。
【００３５】
また、請求項４記載の空気清浄機は、加湿機能付き空気清浄機は、パルス印加電圧のデューティー比を変化させることで、消費電力を削減し、また、センサの安定までの時間を短縮できるという作用を有する。
【００３６】
また、請求項５記載の空気清浄機は、使用者が選択可能なにおいモードスイッチを設け、においモード中はパルス印加電圧のデューティー比を変化させ、ヒーター部の温度を高くすることで、センサの安定までの時間を短縮できるという作用を有する。
【００３７】
また、請求項６記載の空気清浄機は、使用者が選択可能な省エネモードスイッチを設け、省エネ中はパルス印加電圧のデューティー比を変化させ、ヒーター部の温度を低くすることで、センサの安定までの時間を短縮できるという作用を有する。
【００３８】
また、請求項７記載の空気清浄機は、使用者が選択可能な自動モードスイッチを備え、自動モード中は待機時のヒーター部の印加電圧を汚れの検知結果によって変化させることで、消費電力を削減できるという作用を有する。
【００３９】
また、請求項８記載の空気清浄機は、待機直前に汚れを検知していなければ待機時のパルス印加電圧のデューティー比を変化させ、ヒーター部の温度を低くすることで、消費電力を削減できるという作用を有する。
【００４０】
また、請求項９記載の空気清浄機は、待機直前に汚れを検知していれば待機時のパルス印加電圧のデューティー比を変化させ、ヒーター部の温度を高くすることで、消費電力を削減し、また、センサの安定までの時間を短縮できるという作用を有する。
【００４１】
また、請求項１０記載の空気清浄機は、待機時のパルス印加電圧のデューティー比を変化させ、ヒーター部の温度を高温と低温と繰り返すことで、消費電力を削減できるという作用を有する。
【００４２】
また、請求項１１記載の空気清浄機は、待機時間の長さがある一定以上になると、待機時のパルス印加電圧のデューティー比を変化させ、ヒーター部の温度を徐々に低くすることで、消費電力を削減できるという作用を有する。
【００４３】
（実施の形態１）
図１に本発明の実施の形態における空気清浄機の構成を示す斜影図を示す。空気清浄機本体１に室内の空気を吸い込む吸気口２と、吸い込んだ空気を清浄するフィルター３と、フィルター３に通風するファン４と、空気を吹き出す排気口５と、印加電圧のパルスを制御するマイコン６と、においセンサ７と、においモードスイッチ８と、省エネモードスイッチ９と、自動モードスイッチ１０を設け構成する。
【００４４】
図２ににおいセンサ７の構造図を示す。
【００４５】
大気中の汚れを検知する検知部１１とヒーター部１２を備え、ヒーター部１２に電圧を印加することでヒーター部１２の温度が上昇し、温度がある一定になると検知部１１が安定し大気中の汚れを検知する構造となっている。例えば、ここではヒーター部１２にＤＣ５Ｖを印加すると温度が上昇し、４００℃に安定すると、検知部１１が安定状態になるとする。また、ヒーター部１２に電圧を印加し始めて４００℃になるまで３０秒、検知部が安定状態になるまで９０秒時間を要するとする。
【００４６】
図３にヒーター部１２への印加電圧の波形図示す。
【００４７】
運転時はヒーター部１２の温度を保つため、ＤＣ５Ｖを印加している。図３に示す様に待機時にマイコン６にて制御し印加電圧をパルスにする。例えば、待機時に時間幅５ｍｓのデューティー５０％のＤＣ５Ｖパルス電圧にすることで、ヒーター部１２の温度を所定の温度に保ち、消費電力を運転時に対して５０％削減することができる。
【００４８】
このように、においセンサ７を必要としない待機時にだけ、印加電圧をパルス電圧にすることで、待機時の消費電力を削減することができる。
【００４９】
また、待機時にヒーター部１２の印加電圧をＯＦＦすることで待機電力を削減することができるが、運転開始と同時にヒーター部１２に電圧を印加し始めると、検知部１１が安定するまでに１２０秒時間を必要とする。しかし、図４の印加電圧とヒーター部１２の温度関係グラフに示すように、待機時にヒーター部１２にパルス電圧を印加することで、ヒーター部１２の温度を所定の温度を保つことで検知部１１の安定までの時間を短縮することができる。
【００５０】
また、図５に示すようにパルス電圧のピーク値を始めの数パルスだけ高くし、その後ピーク値を低くしてもよい。
【００５１】
また、図６に示すようにパルス電圧のデューティー比を時簡により変化させてもよい。
【００５２】
（実施の形態２）
本実施の形態は前記実施の形態１と制御方法が異なるのみであり、同一構成のものは同一番号を付して詳しい説明は省略する。
【００５３】
においモードスイッチ８によりにおいモードに設定すると、待機時にヒーター部１２に印加するパルス電圧のデューティー比率を上げ、ヒーター部１２の温度を高く保つ。例えばここでは３００℃とする。
【００５４】
このように待機時のヒーター部１２の温度を高く保つことで、検知部１１の安定までの時間を短くすることができる。
【００５５】
また、使用者の環境状況に応じた運転をすることができる。
【００５６】
（実施の形態３）
本実施の形態は前記実施の形態１と制御方法が同一であり、同一構成のものは同一番号を付して詳しい説明は省略する。
【００５７】
省エネモードスイッチ９により省エネモードに設定すると、待機時にヒーター部１２に印加するパルス電圧のデューティー比率を下げ、ヒーター部１２の温度を低く保つ。例えばここでは２００℃とする。
【００５８】
このように待機時のヒーター部１２の温度を低く保つことで、待機時の消費電力を下げることができる。
【００５９】
また、使用者の環境状況に応じた運転をすることができる。
【００６０】
（実施の形態４）
本実施の形態は前記実施の形態１と制御方法が同一であり、同一構成のものは同一番号を付して詳しい説明は省略する。
【００６１】
自動モードスイッチ１０により自動モードに設定すると、待機状態になった時、待機状態になる前の一定時間の汚れ検知結果をマイコン６にて算出し、待機時のヒーター部１２に印加するパルス電圧を制御する。
【００６２】
図７に自動モードのフローチャートを示す。ここでは一定時間を３０分とする。
【００６３】
待機状態になったとき、マイコン６にて３０分前から汚れを検知しているか算出する。３０分以内に汚れを検知していた場合、待機時のパルス電圧のデューティー比を上げ、ヒーター部の温度を高く保つ。例えば、３００℃に保つ。３０分以内に汚れを検知していなかった場合、待機時のパルス電圧のデューティー比を下げ、ヒーター部１２の温度を低く保つ。例えば２００度に保つ。
【００６４】
このように汚れ結果に応じてパルス電圧を制御することでにおいセンサ７を環境状況に応じた制御することができ、待機時の電力を削減でき、検知部１１の安定までの時間を短くすることができる。
【００６５】
（実施の形態５）
本実施の形態は前記実施の形態１と制御方法が同一であり、同一構成のものは同一番号を付して詳しい説明は省略する。
【００６６】
待機状態がある一定以上の時間続くとパルス電圧のデューティー比を下げる。例えば、ここでは一定時間を２時間とすると、最初待機状態になったときにパルス電圧のデューティー比が５０％とする、そして、２時間待機状態が続くとパルス電圧のデューティー比を４０％とし、また、２時間待機状態が続くとパルス電圧のデューティー比を３０％と下げる。このように、使用しない時間が長いと印加電圧を下げることで待機時の電力を削減できる。
【産業上の利用可能性】
【００６７】
本発明にかかる空気清浄機は、加湿機能付き空気清浄機でも同様の手段を用いることで、待機時の消費電力を削減できる。
【符号の説明】
【００６８】
１      空気清浄機本体
２      吸気口
３      フィルター
４      ファン
５      排気口
６      マイコン
７      においセンサ
８      においモードスイッチ
９      省エネモードスイッチ
１０    自動モードスイッチ
１１    検知部
１２    ヒーター部
１０１  空気清浄機本体
１０２  吸気口
１０３  フィルター
１０４  ファン
１０５  排気口
１０６  においセンサ
【図１】
2011127821.tif 000003
【図２】
2011127821.tif 000004
【図３】
2011127821.tif 000005
【図４】
2011127821.tif 000006
【図５】
2011127821.tif 000007
【図６】
2011127821.tif 000008
【図７】
2011127821.tif 000009
【図８】
2011127821.tif 000010